(57)【要約】【課題】ホーム基地局装置がマクロ基地局装置によって送信される報知情報に依ることなく、自局の設置位置を基地局制御装置に報告すること。【解決手段】ホーム基地局装置２０において、無線受信部２２は、マクロセルのＴＡを含む信号を通信端末装置１０からアンテナ２１を介して受信して、位置情報生成部２３に出力し、位置情報生成部２３は、受信信号からマクロセルのＴＡを抽出し、マクロセルのＴＡと自局のＴＡとを関連付けて自局の位置情報を生成し、この位置情報をインタフェース部２４に出力し、インタフェース部２４は、位置情報生成部２３から出力された位置情報を基地局制御装置３０へ送信する。【選択図】図３
2013009028.tif 000002
【特許請求の範囲】
【請求項１】
マクロセルを形成するマクロ基地局装置と、前記マクロセル内において前記マクロセルより小さいフェムトセルを形成するホーム基地局装置と、通信端末装置と、基地局制御装置と、を具備する無線通信システムであって、
前記通信端末装置は、
前記マクロセルから前記フェムトセルへ移動して前記マクロ基地局装置から前記ホーム基地局装置へ接続先を変更するときに、前記マクロ基地局装置の第１トラッキングエリアを前記ホーム基地局装置へ報告し、
前記ホーム基地局装置は、
報告された前記第１トラッキングエリアと、前記ホーム基地局装置の第２トラッキングエリアとを関連付けて自局の位置情報として前記基地局制御装置へ報告し、
前記基地局制御装置は、
前記位置情報により、前記第１トラッキングエリアに前記第２トラッキングエリアが含まれると判断する場合に、トラッキングエリアリスト、または、前記第２トラッキングエリアを更新する、
無線通信システム。
【請求項２】
前記基地局制御装置は、
前記第１トラッキングエリアが属するトラッキングエリアリストに前記第２トラッキングエリアを登録してトラッキングエリアリストを更新する、
請求項１記載の無線通信システム。
【請求項３】
前記基地局制御装置は、更新後のトラッキングエリアリストに、マクロ基地局装置のトラッキングエリアとホーム基地局装置のトラッキングエリアとを区別する識別子を付与する、
請求項２記載の無線通信システム。
【請求項４】
前記基地局制御装置は、
前記第２トラッキングエリアを前記第１トラッキングエリアに更新する、
請求項１記載の無線通信システム。
【請求項５】
マクロ基地局装置が形成するマクロセル内において前記マクロセルより小さいフェムトセルを形成するホーム基地局装置であって、
通信端末装置から報告された前記マクロ基地局装置の第１トラッキングエリアと、自局の第２トラッキングエリアとを関連付けて自局の位置情報を生成する生成手段と、
前記位置情報を基地局制御装置へ送信するインタフェース手段と、
を具備するホーム基地局装置。
【請求項６】
マクロセルを形成するマクロ基地局装置の第１トラッキングエリアと、前記マクロセル内において前記マクロセルより小さいフェムトセルを形成するホーム基地局装置の第２トラッキングエリアとを関連付けて記憶する記憶手段と、
報知情報に含まれるトラッキングエリアが前記記憶手段において前記第２トラッキングエリアと関連付けられているか否かに応じて、前記ホーム基地局装置の探索を行うか否かを決定する探索手段と、
を具備する通信端末装置。
【発明の詳細な説明】
【技術分野】
【０００１】
本発明は、無線通信システムに関する。
【背景技術】
【０００２】
従来のマクロ基地局装置（ｅＮＢ）が形成するマクロセルより通信エリアが小さいフェムトセルの運用が検討されている。例えば、標準化団体３ＧＰＰ（3rd Generation Partnership Project）で標準化が進められているＬＴＥ（Long Term Evolution）／ＳＡＥ（System Architecture Evolution）システムにおいても、小規模な通信エリアに設置することを想定したホーム基地局装置（ＨｅＮＢ）が検討されている（非特許文献１参照）。ホーム基地局装置は、例えば各家庭に設置され、家族など特定のユーザのみにホーム基地局装置へのアクセスを許可する運用が想定されている。ホーム基地局装置の設置により、１基地局装置あたりの収容端末数が減って通信負荷が低減することができる。また、通信端末装置（ＵＥ）とホーム基地局装置との通信距離は、通信端末装置とマクロ基地局装置との通信距離より短いため、通信端末装置の電力消費を低減することができる。
【０００３】
通信端末装置は、異なるセル間を移動することができる。これに対し、基地局制御装置（ＭＭＥ）は、通信端末装置がどのセルに在圏しているかは管理せず、トラッキングエリア（ＴＡ）と呼ばれる範囲に通信端末装置が属するか否かを管理する。トラッキングエリアは、位置登録エリア、ルーティングエリア、または、ロケーションエリアと呼ばれることもある。例えば通信端末装置宛の着信が発生した場合には、トラッキングエリアに一斉にページングが行われる。通信端末装置は、異なるトラッキングエリアに移動した場合にトラッキングエリアアップデート（ＴＡＵ）を行い、基地局制御装置は、通信端末装置が属するトラッキングエリアを更新する。
【０００４】
トラッキングエリア境界付近においてトラッキングエリアアップデートが頻発することを防ぐために、１通信端末装置に対して通信端末装置周辺の複数のトラッキングエリアを割り当てるマルチトラッキングエリア登録も検討されている。１通信端末装置に対して割り当てられた複数のトラッキングエリアはトラッキングエリアリスト（ＴＡリスト）によって管理される。通信端末装置は、トラッキングエリアリストに含まれないトラッキングエリアに移動した場合にのみ、トラッキングエリアアップデートを行う。
【０００５】
ここで、ホーム基地局装置は使用者により有線回線に接続されて設置されることが想定されるため、基地局制御装置は、ホーム基地局装置が無線通信システムのどのエリアに設置されたのかを正確に判断することが難しい。
【０００６】
そこで、ホーム基地局装置に対しホーム基地局装置周辺のマクロ基地局装置のトラッキングエリアと異なるトラッキングエリアを割り当てる、または、ホーム基地局装置のトラッキングエリアをマクロ基地局装置のトラッキングエリアが属するトラッキングエリアリストと異なるトラッキングエリアリストに登録する場合、ホーム基地局装置が形成するフェムトセルの通信エリアは小さいため、トラッキングエリアアップデートが頻発することが予想される。
【０００７】
一方で、ホーム基地局装置に対しホーム基地局装置周辺のマクロ基地局装置のトラッキングエリアと同一のトラッキングエリアを割り当てる、または、ホーム基地局装置のトラッキングエリアをマクロ基地局装置のトラッキングエリアが属するトラッキングエリアリストに登録するには、ホーム基地局装置は自局の設置位置を認識し、トラッキングエリアを管理する基地局制御装置にその位置を報告する必要がある。そこで、ホーム基地局装置が、ホーム基地局装置周辺のマクロ基地局装置が送信する報知情報を受信し、その報知情報に含まれるマクロ基地局装置の位置情報から自局の設置位置を認識する方法が提案されている（特許文献１参照）。
【先行技術文献】
【特許文献】
【０００８】
【特許文献１】国際公開第２００８／１３６４１６号
【非特許文献】
【０００９】
【非特許文献１】3GPP TS 24.301 V9.5.0 (2010-12)
【発明の概要】
【発明が解決しようとする課題】
【００１０】
しかしながら、マクロ基地局装置が送信する報知情報は、本来、通信端末装置に対するものであるため、ホーム基地局装置がその報知情報を受信するためには、ホーム基地局装置は、マクロ基地局装置−通信端末装置間用のインタフェースと同一のインタフェース、および、通信端末装置の受信機能と同一の受信機能を備える必要があるため、ホーム基地局装置の構成が複雑になるという課題がある。
【００１１】
さらに、ホーム基地局装置が地下や屋内など、マクロ基地局装置からの電波が届かない場所に設置された場合には、ホーム基地局装置はそもそもマクロ基地局装置から報知情報を受信することができない。
【００１２】
本発明は、かかる点に鑑みてなされたものであり、ホーム基地局装置がマクロ基地局装置によって送信される報知情報に依ることなく、自局の設置位置を基地局制御装置に報告することができる無線通信システムを提供することを目的とする。
【課題を解決するための手段】
【００１３】
本発明の無線通信システムは、マクロセルを形成するマクロ基地局装置と、前記マクロセル内において前記マクロセルより小さいフェムトセルを形成するホーム基地局装置と、通信端末装置と、基地局制御装置と、を具備する無線通信システムであって、前記通信端末装置は、前記マクロセルから前記フェムトセルへ移動して前記マクロ基地局装置から前記ホーム基地局装置へ接続先を変更するときに、前記マクロ基地局装置の第１トラッキングエリアを前記ホーム基地局装置へ報告し、前記ホーム基地局装置は、報告された前記第１トラッキングエリアと、前記ホーム基地局装置の第２トラッキングエリアとを関連付けて自局の位置情報として前記基地局制御装置へ報告し、前記基地局制御装置は、前記位置情報により、前記第１トラッキングエリアに前記第２トラッキングエリアが含まれると判断する場合に、トラッキングエリアリスト、または、前記第２トラッキングエリアを更新する。
【発明の効果】
【００１４】
本発明によれば、ホーム基地局装置がマクロ基地局装置によって送信される報知情報に依ることなく、自局の設置位置を基地局制御装置に報告することができる。
【図面の簡単な説明】
【００１５】
【図１】本発明の実施の形態１に係る無線通信システムを示す図
【図２】本発明の実施の形態１に係る通信端末装置の構成を示すブロック図
【図３】本発明の実施の形態１に係るホーム基地局装置の構成を示すブロック図
【図４】本発明の実施の形態１に係る基地局制御装置の構成を示すブロック図
【図５】本発明の実施の形態２に係る無線通信システムを示す図
【図６】本発明の実施の形態３に係る無線通信システムを示す図
【図７】本発明の実施の形態４に係る通信端末装置の構成を示すブロック図
【発明を実施するための形態】
【００１６】
以下、本発明の実施の形態に係る無線通信システムについて図面を参照しながら説明する。
【００１７】
（実施の形態１）
図１（図１Ａ，Ｂ）は、本実施の形態に係る無線通信システムを示す図である。
【００１８】
図１Ａに示すように、ｅＮＢ＃０のトラッキングエリアがＴＡ＃０で、ｅＮＢ＃１のトラッキングエリアがＴＡ＃１であり、ＴＡ＃０とＴＡ＃１が同一のＴＡリスト＃Ａに属するものとする。また、ＴＡ＃０の一部と重複するエリアにＨｅＮＢ＃２が設置されるものとする。ＨｅＮＢ＃２は自局の設置位置を認識できないため、ＭＭＥにより新たなＴＡリスト＃Ｃに属する新たなＴＡ＃２が割り当てられる。
【００１９】
ｅＮＢ＃０が形成するマクロセルにはＵＥ＃００およびＵＥ＃０１が位置し、ｅＮＢ＃１が形成するマクロセルにはＵＥ＃１０が位置する。
【００２０】
ＵＥ＃００は、ｅＮＢ＃０のＴＡ＃０を含む報知情報をｅＮＢ＃０から受信する。ＵＥ＃００は、ｅＮＢ＃０が形成するマクロセルからＨｅＮＢ＃２が形成するフェムトセルへ移動してｅＮＢ＃０からＨｅＮＢ＃２へ接続先を変更するときに、ｅＮＢ＃０のＴＡ＃０をＨｅＮＢ＃２へ報告する。
【００２１】
ＨｅＮＢ＃２は、ＵＥ＃００から報告されたＴＡ＃０と自局のＴＡであるＴＡ＃２とを関連付けて、自局の位置情報としてＴＡ＃０およびＴＡ＃２の双方をＭＭＥへ報告する。なお、ＨｅＮＢ＃２が自局のＴＡ（ＴＡ＃２）を事前にＭＭＥと共有できている場合は、ＨｅＮＢ＃２がこのタイミングでＭＭＥへ報告するのは、ＵＥ＃００から報告されたＴＡ＃０のみでもよい。
【００２２】
次いで、ＭＭＥは、ＨｅＮＢ＃２の位置情報として、ＨｅＮＢ＃２からＴＡ＃０およびＴＡ＃２の双方が報告されたため、ＨｅＮＢ＃２がＴＡ＃０のエリア内に設置されたと判断し、図１Ｂに示すように、ＴＡ＃０が属するＴＡリスト＃ＡにＴＡ＃２を登録してＴＡリスト＃Ａを更新するとともに、ＴＡリスト＃ＣからＴＡ＃２を削除してＴＡリスト＃Ｃを更新する。すなわち、ＭＭＥは、ＨｅＮＢ＃２からＴＡ＃０およびＴＡ＃２の双方が報告されたため、ＴＡ＃０にＴＡ＃２が含まれると判断してＴＡリストを更新する。これにより、ＨｅＮＢ＃２のＴＡは、ｅＮＢ＃０のＴＡが属するＴＡリストと同一のＴＡリストに属することになる。
【００２３】
そして、ＭＭＥは、更新後のＴＡリストをｅＮＢ＃０、ｅＮＢ＃１、および、ＨｅＮＢ＃２に通知する。さらに、ＨｅＮＢ＃２は更新後のＴＡリストをＵＥ＃００に通知し、ｅＮＢ＃０は更新後のＴＡリストをＵＥ＃０１に通知し、ｅＮＢ＃１は更新後のＴＡリストをＵＥ＃１０に通知する。
【００２４】
このようしてＨｅＮＢ＃２がＵＥ＃００からＴＡ＃０の報告を受けることにより、ＨｅＮＢ＃２は、ｅＮＢ＃０によって送信される報知情報に依ることなく、自局の設置位置をＭＭＥに報告することができる。また、ＭＭＥはＨｅＮＢ＃２のＴＡ＃２をｅＮＢ＃０のＴＡ＃０が属するＴＡリスト＃Ａに含めるため、トラッキングエリアアップデートの頻発を防ぐことができる。
【００２５】
次いで、本実施の形態に係る通信端末装置１０、ホーム基地局装置２０、および、基地局制御装置３０の構成について説明する。
【００２６】
まず、図２に本実施の形態に係る通信端末装置１０の構成を示す。
【００２７】
通信端末装置１０において、無線受信部１２は、アンテナ１１を介して、マクロ基地局装置からの信号およびホーム基地局装置２０からの信号を受信して、ホーム基地局探索部１３、ＴＡ抽出部１４、および、ＴＡリスト抽出部１６に出力する。マクロ基地局装置からの信号には、マクロ基地局装置のＴＡを含む報知情報が含まれる。また、基地局制御装置３０によって生成されるＴＡリストは、マクロ基地局装置からの信号およびホーム基地局装置２０からの信号に含まれる。
【００２８】
ホーム基地局探索部１３は、通信端末装置１０の周辺に存在する、通信端末装置１０が接続可能なホーム基地局装置を探索する。すなわち、ホーム基地局探索部１３は、マクロ基地局装置からの信号の受信レベルおよびホーム基地局装置２０からの信号の受信レベルを測定し、通信端末装置１０の移動に伴って、ホーム基地局装置２０からの信号の受信レベルがマクロ基地局装置からの信号の受信レベルよりも良好であると判定したときに、通信端末装置１０の接続先がマクロ基地局装置からホーム基地局装置２０へ変更されると判断し、その旨をＴＡ抽出部１４に通知する。このように、ホーム基地局探索部１３は、ホーム基地局装置２０からの信号の受信レベルを用いてホーム基地局装置の探索を行う。
【００２９】
ＴＡ抽出部１４は、ホーム基地局探索部１３からの通知に従って、マクロ基地局装置からの受信信号に含まれる報知情報からマクロ基地局装置のＴＡを抽出して無線送信部１５に出力する。
【００３０】
無線送信部１５は、ＴＡ抽出部１４により抽出されたＴＡを、アンテナ１１を介してホーム基地局装置２０へ送信する。
【００３１】
ＴＡリスト抽出部１６は、受信信号からＴＡリストを抽出してＴＡリスト記憶部１７に出力する。
【００３２】
ＴＡリスト記憶部１７は、ＴＡリスト抽出部１６から出力されたＴＡリストを記憶する。
【００３３】
次いで、図３に本実施の形態に係るホーム基地局装置２０の構成を示す。
【００３４】
ホーム基地局装置２０において、無線受信部２２は、マクロ基地局装置のＴＡを含む信号を通信端末装置１０からアンテナ２１を介して受信して、位置情報生成部２３に出力する。
【００３５】
位置情報生成部２３は、受信信号からマクロ基地局装置のＴＡを抽出し、マクロ基地局装置のＴＡと自局のＴＡとを関連付けて自局の位置情報を生成し、この位置情報をインタフェース部２４に出力する。
【００３６】
インタフェース部２４は、位置情報生成部２３から出力された位置情報を基地局制御装置３０へ送信する。また、インタフェース部２４は、基地局制御装置３０から、基地局制御装置３０によって割り当てられたＴＡ、および、基地局制御装置３０によって生成されたＴＡリストを受信してＴＡリスト記憶部２５および無線送信部２６に出力する。
【００３７】
ＴＡリスト記憶部２５は、インタフェース部２４から出力されたＴＡおよびＴＡリストを記憶する。
【００３８】
無線送信部２６は、インタフェース部２４から出力されたＴＡおよびＴＡリストを通信端末装置１０へ送信する。
【００３９】
次いで、図４に本実施の形態に係る基地局制御装置３０の構成を示す。
【００４０】
基地局制御装置３０において、インタフェース部３１は、ホーム基地局装置２０から送信された位置情報を受信してＴＡリスト管理部３２に出力する。また、インタフェース部３１は、ＴＡリスト管理部３２から出力されるＴＡおよびＴＡリストをホーム基地局装置２０およびマクロ基地局装置へ送信する。
【００４１】
ＴＡリスト管理部３２は、ＴＡおよびＴＡリストを記憶しており、上記のように、ホーム基地局装置２０から送信された位置情報に基づいてＴＡリストを更新し、更新後のＴＡリストをインタフェース部３１に出力する。
【００４２】
なお、本実施の形態においては、ホーム基地局装置は、通信端末装置から報告される位置情報を、以前に報告された位置情報と異なる場合にのみ、基地局制御装置ＭＭＥへ報告してもよい。
【００４３】
（実施の形態２）
本実施の形態では、基地局制御装置がＴＡリストを更新するのではなく、ホーム基地局装置から報告されたＴＡを更新する点において、実施の形態１と相違する。
【００４４】
図５（図５Ａ，Ｂ）は、本実施の形態に係る無線通信システムを示す図である。なお、図５Ａは図１Ａと同一であるため、説明を省略する。以下、図５Ｂにおいて、図１Ｂと異なる点についてのみ説明する。
【００４５】
ＭＭＥは、ＨｅＮＢ＃２の位置情報として、ＨｅＮＢ＃２からＴＡ＃０およびＴＡ＃２の双方が報告されたため、ＨｅＮＢ＃２がＴＡ＃０のエリア内に設置されたと判断し、図５Ｂに示すように、ＨｅＮＢ＃２から報告されたＴＡ＃２をＴＡ＃０に更新する。すなわち、ＭＭＥは、ＨｅＮＢ＃２からＴＡ＃０およびＴＡ＃２の双方が報告されたため、ＴＡ＃０にＴＡ＃２が含まれると判断してＴＡ＃２をＴＡ＃０に更新する。または、ＭＭＥは、ＴＡ＃２をＴＡ＃１に更新してもよい。つまり、ＭＭＥは、ＨｅＮＢ＃２のＴＡを、ｅＮＢ＃０のＴＡが属するＴＡリストに含まれるいずれかのＴＡに更新する。これにより、ＨｅＮＢ＃２のＴＡは、ｅＮＢ＃０のＴＡが属するＴＡリストと同一のＴＡリストに属することになる。
【００４６】
そして、ＭＭＥは、更新後のＴＡをＨｅＮＢ＃２に通知する。また、ＨｅＮＢ＃２は更新後のＴＡをＵＥ＃００に通知する。
【００４７】
このようしてＨｅＮＢ＃２がＵＥ＃００からＴＡ＃０の報告を受けることにより、ＨｅＮＢ＃２は、ｅＮＢ＃０によって送信される報知情報に依ることなく、自局の設置位置をＭＭＥに報告することができる。また、ＭＭＥはＨｅＮＢ＃２のＴＡをｅＮＢ＃０のＴＡと同一のＴＡに更新するため、トラッキングエリアアップデートの頻発を防ぐことができる。
【００４８】
なお、本実施の形態では、基地局制御装置３０（図４）において、ＴＡリスト管理部３２は、ＴＡおよびＴＡリストを記憶しており、上記のように、ホーム基地局装置２０から送信された位置情報に基づいてＴＡを更新し、更新後のＴＡをインタフェース部３１に出力する。
【００４９】
（実施の形態３）
本実施の形態では、更新後のＴＡリストにおいてＴＡ毎に、ホーム基地局装置のＴＡであるか否かを示す識別子、すなわち、マクロ基地局装置のＴＡとホーム基地局装置のＴＡとを区別する識別子を付与する点において、実施の形態１と相違する。
【００５０】
図６は、本実施の形態に係る無線通信システムを示す図である。以下、図６において、図１Ｂと異なる点についてのみ説明する。
【００５１】
ＭＭＥは、更新後のＴＡリストにおいて、さらに、ＴＡ毎に、マクロ基地局装置のＴＡとホーム基地局装置のＴＡとを区別する識別子を付与する。図６において、ＴＡ＃０はｅＮＢ＃０のＴＡ、ＴＡ＃１はｅＮＢ＃１のＴＡ、ＴＡ＃２はＨｅＮＢ＃２のＴＡであるため、ＭＭＥは、ＴＡ＃０およびＴＡ＃１に対し、ホーム基地局装置のＴＡでないことを示す‘０’を付与する一方で、ＴＡ＃２に対し、ホーム基地局装置のＴＡであることを示す‘１’を付与する。
【００５２】
そして、ＭＭＥは、識別子付与後のＴＡリストをｅＮＢ＃０、ｅＮＢ＃１、および、ＨｅＮＢ＃２に通知する。さらに、ＨｅＮＢ＃２は識別子付与後のＴＡリストをＵＥ＃００に通知し、ｅＮＢ＃０は識別子付与後のＴＡリストをＵＥ＃０１に通知し、ｅＮＢ＃１は識別子付与後のＴＡリストをＵＥ＃１０に通知する。
【００５３】
識別子付与後のＴＡリストを受信したＵＥ＃００は、付与された識別子に基づいてＴＡリストの各ＴＡがマクロ基地局装置のＴＡであるか、ホーム基地局装置のＴＡであるかを判断し、ＴＡ＃０からＴＡ＃２への移動時にはトラッキングエリアアップデートを行う一方で、ＴＡ＃２からＴＡ＃０への移動時にはトラッキングエリアアップデートを行わない。すなわち、ＵＥ＃００は、マクロ基地局装置のＴＡからホーム基地局装置のＴＡへの移動時にはトラッキングエリアアップデートを行い、ホーム基地局装置のＴＡからマクロ基地局装置のＴＡへの移動時にはトラッキングエリアアップデートを行わない。よって、ＵＥ＃００は、ＨｅＮＢ＃２を介してＭＭＥに対し、マクロ基地局装置のＴＡからホーム基地局装置のＴＡへの移動時にはトラッキングエリアアップデート要求を送信し、ホーム基地局装置のＴＡからマクロ基地局装置のＴＡへの移動時にはトラッキングエリアアップデート要求を送信しない。
【００５４】
よって、本実施の形態によれば、ＭＭＥは、ＵＥ＃００がＨｅＮＢ＃２が形成するフェムトセルに移動したことを検知することができるため、ｅＮＢ＃０の容量負荷を管理することができる。
【００５５】
また、本実施の形態によれば、ホーム基地局装置のＴＡからマクロ基地局装置のＴＡへの移動時にはトラッキングエリアアップデートが行われないため、多くの通信端末装置が在圏するマクロセルでのリソースロスを低減することができる。
【００５６】
また、本実施の形態では、（１）ホーム基地局装置のＴＡ宛→（２）マクロ基地局装置のＴＡ宛の順にページングを送信することにより、フェムトセルに通信端末装置が在圏している場合にはマクロ基地局装置からのページングを停止できるため、ページング負荷を低減することができる。
【００５７】
さらに、本実施の形態によれば、フェムトセルに通信端末装置が在圏しているか否かを判別することができるため、フェムトセルに通信端末装置が在圏していない場合にはホーム基地局装置をスリープさせて電力消費を低減することができる。
【００５８】
（実施の形態４）
本実施の形態では、通信端末装置が、マクロ基地局装置のＴＡとホーム基地局装置のＴＡとを関連付けて記憶しておく点において、実施の形態１と相違する。
【００５９】
図７に本実施の形態に係る通信端末装置４０の構成を示す。なお、図７において、図２（実施の形態１）と同一の構成には同一の符合を付し、説明を省略する。
【００６０】
図７に示す通信端末装置４０において、無線受信部１２がマクロ基地局装置から受信する信号には、マクロ基地局装置のＴＡを含む報知情報が含まれる。また、無線受信部１２がホーム基地局装置から受信する信号には、ホーム基地局装置のＴＡが含まれる。
【００６１】
ＴＡ抽出部４１は、ホーム基地局探索部４２からの通知に従って、マクロ基地局装置からの受信信号に含まれる報知情報からマクロ基地局装置のＴＡを抽出して無線送信部１５およびＴＡリスト記憶部４３に出力する。また、ＴＡ抽出部４１は、ホーム基地局装置からの受信信号に含まれるホーム基地局装置のＴＡを抽出してＴＡリスト記憶部４３に出力する。さらに、ＴＡ抽出部４１は、マクロ基地局装置からの受信信号を入力される度に、受信信号に含まれる報知情報からマクロ基地局装置のＴＡを抽出してホーム基地局探索部４２に出力する。
【００６２】
ＴＡリスト記憶部４３は、実施の形態１同様、ＴＡリスト抽出部４１から出力されたＴＡリストを記憶する。また、ＴＡリスト記憶部４３は、マクロ基地局装置のＴＡとホーム基地局装置のＴＡとを関連付けて記憶する。
【００６３】
ホーム基地局探索部４２は、ＴＡリスト記憶部４３を参照し、ホーム基地局装置のＴＡと関連付けられたマクロ基地局装置のＴＡと、ＴＡ抽出部４１から入力されたマクロ基地局装置のＴＡとを比較して、ホーム基地局装置の探索を行うか否かを決定する。
【００６４】
すなわち、ホーム基地局探索部４２は、ＴＡ抽出部４１から入力されたマクロ基地局装置のＴＡが、ＴＡリスト記憶部４３においてホーム基地局装置のＴＡと関連付けられている場合は、通信端末装置４０が在圏しているマクロセル内にホーム基地局装置が存在すると判断し、ホーム基地局装置の探索を行う。一方で、ホーム基地局探索部４２は、ＴＡ抽出部４１から入力されたマクロ基地局装置のＴＡが、ＴＡリスト記憶部４３においてホーム基地局装置のＴＡと関連付けられていない場合は、通信端末装置４０が在圏しているマクロセル内にホーム基地局装置が存在しないと判断し、ホーム基地局装置の探索を停止する。つまり、ホーム基地局探索部４２は、報知情報に含まれるＴＡがホーム基地局装置のＴＡと関連付けられているか否かに応じて、ホーム基地局装置の探索を行うか否かを決定する。
【００６５】
例えば、上記図１Ａにおいて、ＵＥ＃００が本実施の形態に係る通信端末装置４０であり、ＵＥ＃００がｅＮＢ＃０が形成するマクロセルに位置する場合、ＴＡリスト記憶部４３には、ｅＮＢ＃０のＴＡ＃０とＨｅＮＢ＃２のＴＡ＃２とが関連付けられて記憶される。そして、ＵＥ＃００がｅＮＢ＃１が形成するマクロセルに移動した場合には、ＴＡ抽出部４１によりｅＮＢ＃１のＴＡ＃１が抽出されてホーム基地局探索部４２に入力される。ＴＡ＃１はＴＡリスト記憶部４３においてホーム基地局装置のＴＡ＃２と関連付けられていないため、この場合にはホーム基地局探索部４２はホーム基地局装置の探索を停止する。
【００６６】
このように、本実施の形態によれば、通信端末装置は、ホーム基地局装置が存在しないマクロセルに在圏しているとき、ホーム基地局装置の探索を停止することができるため、通信端末装置の消費電力を低減することができる。
【００６７】
なお、通信端末装置は、ホーム基地局装置が存在しないマクロセルに在圏しているとき、ホーム基地局装置の探索の優先度を下げてもよい。
【００６８】
以上、本発明の実施の形態について説明した。
【００６９】
なお、上記位置情報には、通信端末装置が直前に在圏したセルのＰＣＩ（Physical Cell ID）、通信端末装置が直前に在圏したセルの周辺セル情報、または、通信端末装置が直前に在圏したセルおよび周辺セルの受信電力、を含めてもよい。
【００７０】
また、本発明は、ＬＴＥ／ＳＡＥシステム以外の無線通信システムにも上記同様にして適用可能である。
【００７１】
また、本発明は、ホーム基地局装置を新たに設置する場合に限らず、フェムト基地局装置またはマクロ基地局装置を新たに設置する場合においても上記同様にして実施することができる。
【産業上の利用可能性】
【００７２】
本発明は、ホーム基地局装置の設置位置を管理する無線通信システム等に好適である。
【符号の説明】
【００７３】
１０  通信端末装置
２０  ホーム基地局装置
２３  位置情報生成部
２４  インタフェース部
３０  基地局制御装置
【図１】
2013009028.tif 000003
【図２】
2013009028.tif 000004
【図３】
2013009028.tif 000005
【図４】
2013009028.tif 000006
【図５】
2013009028.tif 000007
【図６】
2013009028.tif 000008
【図７】
2013009028.tif 000009